(57)【要約】【課題】ゴルフのパッティングにおいて、パターフェースの芯でしっかりヒットすることは大事なことである。ところが、芯でヒットしたかどうかの確証が得られない。手ごたえやボールの転がりで判断できるともいえるが、季節の寒暖、芝の状況でその判断も一定しない。そこで、ボールをヒットするときの音に着目した。脳に近い耳からの音は記憶に残りやすく、芯でのヒットと呼応するいい音として聞き分けできれば課題を解決できる。【解決手段】いい音程調整のできるティンパニや礼拝堂の天井ドームの響きのある音は、五感の耳の記憶に残る音といえる。そこで、パターヘッド内に筒状の空洞を設け、後方底部を半球状の丸形、または楕円形の丸形形状とし、後方底面に小穴を設けた構造とすれば、芯でヒットしたときの確証が得られるいい音を判別できる。【選択図】  図１
2016152844.tif 000002
【特許請求の範囲】
【請求項１】
パターフェースの中央部を中心として、後方ヘッド部に筒状の空洞を設け、その空洞の後方底部は半球状の丸形または楕円形の丸形形状、あるいはそれに類する曲面形状とし、さらなるその後方底面に穴を設けたことを特徴とするゴルフパター。
【請求項２】
パターフェースの中央部を中心として、後方ヘッド部に筒状の空洞を設け、その後方底面は底なしとしたことを特徴とするゴルフパター。
【発明の詳細な説明】
【技術分野】
【０００１】
本発明は、パターの芯でヒットしたときの確証として、良い音程の音を発するゴルフパターに関する。
【背景技術】
【０００２】
ゴルフのパッティングにおいて、パターの芯でボールをヒットすることは基本中の基本である。ところが芯でヒットできたかどうかは分かりにくい。上級者は経験の積み重ねの中から分かるといえど月一ゴルファーには難しい。芯に丸マークを施したパター、後方に直線を描いたパターがあるが、これらは芯の目印であり芯で打つ事を容易としている。ところが、芯で打ったつもりでも、芯で打てたかどうかは判定できない。手のいい感触も四季の温度変化で記憶が薄らぐ。そこで、芯で打てた時のいい音に着目した。耳は脳に近いため記憶が継続する。特許電子図書館で「パターヘッド」、「空洞」、「穴」のキーワードで検索した結果、１件であった。（特許文献１）での穴はフェース面に設けられ、空洞には発光挿入物を入れ、ビーム光を目標に発する練習クラブである。本願発明のヘッドの後方と、前方に設ける穴とは位置が明らかに異なり、穴を通過する音と、光とでは物理特性が明らかに異なるといえる。
【先行技術文献】
【特許文献】
【０００３】
【特許文献１】特表２００５−５３７８９２
【非特許文献】
【０００４】
【非特許文献１】ティンパニの構造―楽器解体全書PLUS―ヤマハ株式会社
【発明の概要】
【発明が解決しようとする課題】
【０００５】
芯で打ったことの確証を重ねていくことは上達のステップである。確かに芯で打てばいい手ごたえが残り、ボールの転がりがよいことで判定できる。しかし、これは芯でなく、しっかりヒットすることでも得られる。また、手ごたえの記憶は手の感触であり、季節ごとの温度変化でも異なり長期に維持することは難しい。一方、打った後には音が出る。ここに着目した。物体が衝突すると音を生じる。すなわち、ボールとパターヘッドの衝突である。芯で当たるといい音が出る。五感の耳は脳に近くいい音の記憶は長続きする。音で判別できれば室内のマットでの練習も楽しく継続できる。その音を聞き分けやすくすれば、記憶に残る音にすれば、芯で打ったことを判定しやすい音となる。記憶に残る音といえば除夜の鐘を思い出す。その音には響きがあり、余韻が残る。同様に、お寺の木魚もいい音の響きがある。この両者に共通しているのが、打点があり打たれる本体に空洞があることである。この空洞が音の反響をもたらす重要なポイントで適用できると考えた。ローマのバンテオンはドーム形天井でよく音が響く。このドーム形、丸形の形状もヒントとなる。ドラムや太鼓のように平面的な底では音が往復するうちに様々に変化し、振動の変化が多彩で安定した音程が出ません。そこで、いい音程調整ができる楽器のティンパニの原理を応用すればいい音程を確保できると考えた。振動物体の材質はケルンと金属で異なるが、音を伝達する内部空気の振動形態を近づけることはできる。空洞構造を確保し、その後部の底部は半球状の丸底の形状とし、さらにその後部底面に小穴を設ける。いい音を伝達するにはそれなりの空洞体積を確保することが必要で、後部の丸底に集中させることで規律正しい整数倍の振動を得やすいとされ、後部の小穴から空気を放出することでもいい音を呈する。この穴が小さいと音がよく伸び、穴が大きいと音の伸びが短くなって、叩いた時のタッチが軽くなる。ケルンのティンパニの穴は円形の直径１．２ｍｍの小穴であるが、同様にいい音色の小穴では、鈴の鈴口の小穴、良く響くお寺の木魚の横長の穴が参考となる。芯を打った時のいい音の響き、記憶に残る音、安定した音が得られるために、肝心なのは、後方底部が丸形もしくは楕円形、あるいは極力それに類する曲面形状とすることであり、平らな面とか角張った面では音が複雑に反射していい音にならない。ただし、空洞に底を設けるとなるとパターヘッドの製造の難易度が増す。ティンパニの底を切断した実験では音がうるさくなると記されている。しかし、フェースの厚いパターの場合は、いい音かどうかは別としてうるさくなるほどの音量の音とはなりづらい。この音も芯にあたったかどうかの聞き分けに役立つと考えられる。穴が大きくなったケースが底なしともいえる。芯を打った時のいい音の響き、記憶に残る音、安定した音が得られるために、きちんと決まった高さの音、楽音をつくることが芯でとらえる音の記憶となる。芯でとらえる確率を高めるいい音とするための、空洞と半球状の丸形の底部と底面の小穴の確保の構成で、芯を打ったことの証しとなる安定した音程が得られ課題を解決できる。
【課題を解決するための手段】
【０００６】
このような課題を解決するために、本発明のゴルフパターは、パターフェースの中央部を中心として、後方ヘッド部に筒状の空洞を設け、その空洞の後方底部は半球状の丸形または楕円形の丸形形状、あるいはそれに類する曲面形状とし、さらなるその後方底面に穴を設けたことを特徴とする。
【０００７】
また、本発明のゴルフパターは、パターフェースの中央部を中心として、後方ヘッド部に筒状の空洞を設け、その後方底面は底なしとしたことを特徴とする。
【発明の効果】
【０００８】
芯に当たった時のいい音の響きが安定した音程となれば芯で打てた確証となり、この五感の耳の記憶を繰り返せば芯で当たることの確率がさらに高まり、季節の温度変動にも関係なく容易に継続できることから上級者のレベル維持、更なるスキルアップも期待できる。パッティングが安定すればショットにいい影響を及ぼし、全体のスコアアップとなり、ゴルフラウンドが楽しいものとなる。当然プロはパット・イズ・マネーである。
【図面の簡単な説明】
【０００９】
【図１】パターヘッドの空洞部をパターフェースの高さに応じた筒状とし、その後方底部を半球状の丸形とし、後方底面に円形の小穴を設けたパターの平面図
【図２】図１のパターの後方からの正面図
【図３】図１のパターの側面図
【図４】パターヘッドの空洞部をパターフェースの高さとフェースの長さ方向の幅に応じた長さを短軸、長軸とした楕円形の筒状とし、その後方底部も楕円形の丸形形状とし、後方底面を楕円形の小穴としたパターの平面図
【図５】図４のパターの後方からの正面図
【図６】パターヘッドの空洞部をパターフェースの高さとフェースの長さ方向の幅に応じた長さを外郭とした該長方形し、その後方底部を絞って楕円形の丸形形状とし、後部底面に棒状の隙間とその両端に円形の小穴を設けたパターの平面図
【図７】図６のパターの後方からの正面図
【図８】パターヘッドの空洞部をパターフェースの高さに応じた筒状とし、その後方底部まで同じ断面形状で底なしとしたパターの平面図
【図９】図８のパターの後方からの正面図
【発明を実施するための形態】
【００１０】
パターのフェース部の形状はおおむね横長で扁平な長方形である。ここの後方に空洞部を設ける。空洞の形状は、１．フェースの高さからヘッド材の肉厚分を差し引いた長さを最大の直径とする筒状、２．フェースの高さからヘッド材の肉厚分を差し引いた長さより長い横長の楕円形状の筒状、３．フェース面を縁どった長方形状の筒状のいずれかといえる。後方底部までの長さは、ヤマハのティンパニの写真を参考とすると、空洞の筒状の直径と高さがおおむね等しいといえる。ただし、ゴルフパターではボールをはじく必要があるので十分な重量、すなわち、比較的長い長さを確保する必要がある。ゴルフパターの高さを２．５ｃｍとすると、後方に２．５ｃｍの空洞では反力を受けるには感覚的に短すぎる。そこで目安として円筒の場合、後方底部までの長さは、空洞周囲の肉厚分の重量がボールの重量以上となる長さといえる。ボールの重量を４５g、パターの材料を鋳物、ステンレス、鋼とすれば単位重量は７．８ｇ／ｃｍ３、空洞の肉厚を１．５ｍｍ、パターフェースの高さを２．５ｃｍとすれば必要長さLが求まる。（π＊２．５＊２．５／４−π＊２．２＊２．２／４）＊L＊７．８≧４５から必要長さは５．２ｃｍとなり、これはフェース高さの約２倍となる。肉厚を１ｍｍとすれば必要長さは７．７ｃｍとなりフェース高さの約３倍となる。大まかには空洞の長さはフェース高さの３倍までが目安といえる。ちなみに、肉厚を３ｍｍとすれば必要長さは２．８ｃｍとなり、肉厚を十分取るかフェース幅方向に長さを十分取ればヘッド重量も増え、フェース高さと同じ程度の後方長さとすることができる。また、音量を増やすには、フェース部の断面積や空洞体積を大きくすることとなる。楕円形状や長方形状の場合は、円筒形に対して横方向長／フェース高さの比率をかけた後方長さとなるといえるが、後方長さの限界目安や形状のバランスも考慮しなければならない。後方底部の形状は、半球状の丸形を基本形とし、楕円形状や長方形状の筒状の場合は楕円形の丸形形状となる。後方底面に設ける小穴は、後方底部が丸形の場合は円形、楕円形の丸形形状の場合は、円形、楕円形状もしくは棒状の隙間とその両端に円形の小穴を有する穴形状、例えるならお寺の木魚の穴形や鈴口の穴形の様といえる。一方、小穴を有する空洞構造のパターの製造方法は、削り出しでは困難で鋳造によるものと思われる。音に影響すると思われるフェースの厚みや小穴の大きさは、製作難易度や音の聞き取りなどの試行を繰り返して決定することになる。製品の仕上がりで、後方底部の半球状の丸形や楕円形の丸形形状がむつかしければそれに類した曲面を有した形状となる。一体でつくる製造法が困難であれば、後方底部の丸形を溶接する合体法とか底なしを模索することになる。
【実施例１】
【００１１】
パターヘッドの空洞部をパターフェースの高さに応じた筒状とし、その後方底部を半球状の丸形とし、後方底面に円形の小穴を設けたパターの例を図１、図２および図３に示す。フェース面から後方底面までの長さをフェース高さの１〜３倍を目安とする。
【実施例２】
【００１２】
パターヘッドの空洞部をパターフェースの高さとフェースの長さ方向の幅内の長さを短軸、長軸とした楕円形状とし、その後方底部も楕円形の丸形形状とし、後部底面を楕円形の小穴としたパターの例を図４、図５に示す。楕円形状は後方底部に向かうにしたがって断面を絞る場合もある。後方底部を丸形とすることもある。
【実施例３】
【００１３】
パターヘッドの空洞部をパターフェースの高さとフェースの長さ方向の幅の長さを外郭とした長方形状とし、その後方底部を絞って楕円形の丸形形状とし、後部底面に棒状の隙間とその両端に円形の小穴を設け、たとえるならお寺の木魚の穴形や鈴口の穴形の様とした例を図６、図７に示す。楕円形状は後方底部に向かうにしたがって断面を絞ることになる。後方底部を丸形とすることもある。
【実施例４】
【００１４】
パターヘッドの空洞部を筒状のままとし、後方底面を底なしとした例を図８、図９に示す。
【符号の説明】
【００１５】
１  パターヘッド
２  パターヘッドのフェース部
３  パターヘッドのシャフト部
４  パターヘッドの後方ヘッド部の筒状の空洞部
５  パターヘッドの後方ヘッド部の楕円形状の筒状の空洞部
６  パターヘッドの後方ヘッド部の長方形状の筒状の空洞部
７  パターヘッドの半球状の丸形の後方底部
８  パターヘッドの楕円形状の後方底部
９    後方底面の円形の小穴
１０  後方底面の楕円形状の小穴
１１  後方底面の棒状の隙間とその両端の小穴
１２  底なしとした後方底面
１３  空洞部の肉厚部
【図１】
2016152844.tif 000003
【図２】
2016152844.tif 000004
【図３】
2016152844.tif 000005
【図４】
2016152844.tif 000006
【図５】
2016152844.tif 000007
【図６】
2016152844.tif 000008
【図７】
2016152844.tif 000009
【図８】
2016152844.tif 000010
【図９】
2016152844.tif 000011